(57)【要約】【課題】ころ軸受用の分割保持器において、保持器セグメント間に生じる隙間を解消する。【解決手段】ころ軸受は、内輪２と、外輪３と、複数のころ４と、複数のころを保持するための分割保持器５とを備えている。分割保持器５は、周方向に沿って配置される複数の保持器セグメント６を有している。保持器セグメント６は、軸方向に対向する一対のリム部２１，２２と、周方向に対向する一対の柱部２３，２４とを有しており、一対のリム部２１，２２の間であって一対の柱部２３，２４の間が、単一のころ４を収容するためのポケット２５である。保持器セグメント６は、更に、内輪２に当接することによって、この保持器セグメント６をころ４の外周に沿って変位させて傾かせる突起２６を有している。【選択図】図４
2017044260.tif 000002
【特許請求の範囲】
【請求項１】
周方向に沿って配置される複数の保持器セグメントを備えているころ軸受用の分割保持器であって、
前記保持器セグメントは、軸方向に対向する一対のリム部と、前記一対のリム部の間に設けられ周方向に対向する一対の柱部と、を有し、一対の前記リム部の間であって一対の前記柱部の間が単一の前記ころを収容するためのポケットであり、
前記保持器セグメントは、更に、ころ軸受が有する内輪及び外輪のうちの一方の軌道輪に当接することによって当該保持器セグメントを前記ころの外周に沿って変位させて傾かせる突起を有している、分割保持器。
【請求項２】
前記保持器セグメントは、前記ポケットに収容する前記ころに対して径方向について変位可能であり、
前記突起は、前記保持器セグメントが傾いておらずかつ当該保持器セグメントのピッチ円と前記ころのピッチ円とが一致している状態では前記軌道輪に非接触であるが、当該保持器セグメントが前記軌道輪側に変位すると当該軌道輪に接触可能となる突出長さを有している、請求項１に記載の分割保持器。
【請求項３】
前記保持器セグメントは、ころ軸受が有する内輪に当接可能である前記突起を有しており、
前記保持器セグメントのうち、ころ軸受の回転方向の前方側の領域に、前記突起が設けられている、請求項１又は２に記載の分割保持器。
【請求項４】
内輪と、外輪と、前記内輪と前記外輪との間に形成される環状空間に配置されている複数のころと、複数の前記ころを保持するための分割保持器と、を備え、
前記分割保持器は、周方向に沿って配置される複数の保持器セグメントを有し、
前記保持器セグメントは、軸方向に対向する一対のリム部と、前記一対のリム部の間に設けられ周方向に対向する一対の柱部と、を有し、一対の前記リム部の間であって一対の前記柱部の間が単一の前記ころを収容するためのポケットであり、
前記保持器セグメントは、更に、前記内輪及び前記外輪のうちの一方の軌道輪に当接することによって当該保持器セグメントを前記ころの外周に沿って変位させて傾かせる突起を有している、ころ軸受。
【発明の詳細な説明】
【技術分野】
【０００１】
本発明は、分割保持器及びころ軸受に関する。
【背景技術】
【０００２】
ころ軸受において、内輪と外輪との間を転動する複数のころを保持する保持器として、分割保持器が知られている（例えば特許文献１参照）。図１０は、従来の分割保持器９９を備えているころ軸受９０の側面図である。
【０００３】
内輪９１と外輪９２との間に形成されている環状空間９３には、複数のころ９４と、これら複数のころ９４を保持するための分割保持器９９とが設けられている。分割保持器９９は複数の保持器セグメント９８を備えており、これら保持器セグメント９８は周方向に沿って並んで設けられており、全体として環状となっている。
【０００４】
各保持器セグメント９８は、図１１の斜視図に示すように、軸方向に対向する一対のリム部９７，９７と、これらリム部９７，９７の間に設けられている複数の柱部９６とを有している。一対のリム部９７，９７の間であって周方向で隣り合う柱部９６，９６の間が単一のころ９４を収容するためのポケット９５となる。
【先行技術文献】
【特許文献】
【０００５】
【特許文献１】実開平６−６７４６号公報
【発明の概要】
【発明が解決しようとする課題】
【０００６】
前記のような分割保持器９９では、図１０に示すように、隣り合う保持器セグメント９８，９８間に周方向の隙間δが生じる。特に、軸受中心線Ｃ０が水平となる姿勢でころ軸受９０が用いられる場合、その環状空間９３の上側の領域において隙間δが生じやすい。また、各保持器セグメント９８の製造において、周方向についての寸法精度が低い場合、この隙間δが大きくなることがある。
【０００７】
保持器セグメント９８，９８間で大きな隙間δが生じていると、ころ軸受９０が回転した際に、保持器セグメント９８，９８同士が衝突を繰り返し、これにより異音（騒音）が発生したり、長期使用により保持器セグメント９８が破損したりするおそれがある。
【０００８】
そこで、本発明の目的は、ころ軸受用の分割保持器では保持器セグメント間に隙間が生じるが、この隙間を解消することを可能とする分割保持器、及びこのような分割保持器を備えているころ軸受を提供することにある。
【課題を解決するための手段】
【０００９】
本発明は、周方向に沿って配置される複数の保持器セグメントを備えているころ軸受用の分割保持器であって、前記保持器セグメントは、軸方向に対向する一対のリム部と、前記一対のリム部の間に設けられ周方向に対向する一対の柱部と、を有し、一対の前記リム部の間であって一対の前記柱部の間が単一の前記ころを収容するためのポケットであり、前記保持器セグメントは、更に、ころ軸受が有する内輪及び外輪のうちの一方の軌道輪に当接することによって当該保持器セグメントを前記ころの外周に沿って変位させて傾かせる突起を有している。
【００１０】
この分割保持器によれば、各保持器セグメントは、単一のポケットに単一のころを収容する構成であることから、ころの外周に沿って変位して傾くことができる。そして、周方向で隣り合う保持器セグメント間に隙間が生じていても、保持器セグメントの突起がころ軸受の軌道輪に当接してその保持器セグメントを傾かせることにより、その隣りの保持器セグメントと接触した状態となることができ、これにより、前記隙間が解消される。
【００１１】
また、前記保持器セグメントは、前記ポケットに収容する前記ころに対して径方向について変位可能であり、前記突起は、前記保持器セグメントが傾いておらずかつ当該保持器セグメントのピッチ円と前記ころのピッチ円とが一致している状態では前記軌道輪に非接触であるが、当該保持器セグメントが前記軌道輪側に変位すると当該軌道輪に接触可能となる突出長さを有しているのが好ましい。
これにより、突起が軌道輪に接触していない保持器セグメントも存在することが可能となり、分割保持器全体として軌道輪との間の摺動抵抗の増加を抑制することができる。
【００１２】
また、前記保持器セグメントは、ころ軸受が有する内輪に当接可能である前記突起を有しており、前記保持器セグメントのうち、ころ軸受の回転方向の前方側の領域に、前記突起が設けられているのが好ましい。
ころ軸受が回転すると、ころは同方向に公転しながらころの中心線回りに自転するが、この自転により、保持器セグメントはころにつれられて傾く場合がある。そこで、前記のとおり、保持器セグメントのうち、ころ軸受の回転方向の前方側の領域に突起を設けることで、この突起により保持器セグメントを傾ける方向と、ころにつれられて傾く方向とを同じにすることができ、保持器セグメントを安定して決まった方向に傾けることが可能となる。
【００１３】
また、本発明のころ軸受は、内輪と、外輪と、前記内輪と前記外輪との間に形成される環状空間に配置されている複数のころと、複数の前記ころを保持するための分割保持器と、を備え、前記分割保持器は、周方向に沿って配置される複数の保持器セグメントを有し、前記保持器セグメントは、軸方向に対向する一対のリム部と、前記一対のリム部の間に設けられ周方向に対向する一対の柱部と、を有し、一対の前記リム部の間であって一対の前記柱部の間が単一の前記ころを収容するためのポケットであり、前記保持器セグメントは、更に、前記内輪及び前記外輪のうちの一方の軌道輪に当接することによって当該保持器セグメントを前記ころの外周に沿って変位させて傾かせる突起を有している。
【００１４】
このころ軸受によれば、分割保持器の各保持器セグメントは、単一のポケットに単一のころを収容する構成であることから、ころの外周に沿って変位して傾くことができる。そして、周方向で隣り合う保持器セグメント間に隙間が生じていても、保持器セグメントの突起がころ軸受の軌道輪に当接してその保持器セグメントを傾かせることにより、その隣りの保持器セグメントと接触した状態となることができ、これにより、前記隙間が解消される。
【発明の効果】
【００１５】
本発明によれば、周方向で隣り合う保持器セグメント間に隙間が生じていても、保持器セグメントの突起によってその保持器セグメントを傾かせることができ、これにより、隣りの保持器セグメントと接触した状態となり、前記隙間が解消される。この結果、軸受が回転した際の保持器セグメント同士の衝突による異音の発生や破損を防止することが可能となる。
【図面の簡単な説明】
【００１６】
【図１】ころ軸受の断面図である。
【図２】ころ軸受の側面図である。
【図３】保持器セグメントの斜視図である。
【図４】図３のＡ−Ａ矢視断面図である。
【図５】分割保持器の一部を示す説明図である。
【図６】分割保持器の一部を示す説明図である。
【図７】異なる形態を有する保持器セグメントの斜視図である。
【図８】分割保持器の一部を示す説明図である。
【図９】分割保持器の一部を示す説明図である。
【図１０】従来の分割保持器を備えているころ軸受の側面図である。
【図１１】従来の保持器セグメントの斜視図である。
【発明を実施するための形態】
【００１７】
以下、本発明の実施形態について説明する。
図１は、ころ軸受１の断面図である。ころ軸受１は、内輪２と、外輪３と、これら内輪２と外輪３との間に形成される環状空間５０に配置されている複数のころ４と、これら複数のころ４を保持するための分割保持器５とを備えている。本実施形態のころ４は円すいころであり、ここで説明するころ軸受１は円すいころ軸受である。そして、環状空間５０には潤滑剤が設けられており、ころ軸受１はこの潤滑剤によって潤滑される。
【００１８】
外輪３の内周側には、ころ４が転動する外輪軌道面３ａが形成されており、この外輪軌道面３ａを含む外輪３の内周面は円すい面からなる。
内輪２の外周側には、外輪軌道面３ａと対向する位置に、ころ４が転動する内輪軌道面２ａが形成されている。内輪軌道面２ａは円すい面からなる。また、内輪２の外周側において、内輪軌道面２ａを挟んで軸方向両側に、径方向外側に突出している大鍔部２ｂ及び小鍔部２ｃが形成されている。大鍔部２ｂは、ころ４の軸方向一方側の大端面４ａと接触する。
【００１９】
図２は、ころ軸受１の側面図である。分割保持器５は複数（ころ４と同数）の保持器セグメント６を有しており、これら保持器セグメント６は、環状空間５０に周方向に沿って配置され、全体として環状となっている。なお、各保持器セグメント６は同じ構成である。図２では、保持器セグメント６を周方向に沿って均等に配置した状態を示しており、周方向で隣り合う保持器セグメント６，６の間には隙間δが形成される。本実施形態のように、ころ軸受１の中心線Ｃ０が水平となる姿勢で用いられる場合、環状空間５０の上側の領域において隙間δが生じやすく、また、隙間δが大きくなりやすい。
【００２０】
図３は、保持器セグメント６の斜視図である。保持器セグメント６は、軸方向に間隔をあけて互いに対向する一対のリム部２１，２２と、これら一対のリム部２１，２２の間に設けられ周方向に間隔をあけて互いに対向する一対の柱部２３，２４とを有している。そして、一対のリム部２１，２２の間であって一対の柱部２３，２４の間が、単一のころ４を収容するためのポケット２５となる。保持器セグメント６は合成樹脂製であり、射出成形によってリム部２１，２２及び柱部２３，２４は一体成形される。
【００２１】
また、保持器セグメント６は、内輪２の一部（図１に示す大鍔部２ｂ及び小鍔部２ｃの外周面）に当接可能である突起２６，２６を有している。突起２６は、一対のリム部２１，２２それぞれの径方向内側面であって第２柱部２４側に設けられており、リム部２１，２２から更に径方向内側に向かって突出している。このように、突起２６は第２柱部２４側の軸方向両側に設けられており、一方の突起２６は内輪２の大鍔部２ｂの外周面に当接可能であり、他方の突起２６は内輪２の小鍔部２ｃの外周面に当接可能である。
【００２２】
図４は、図３のＡ−Ａ矢視断面図である。この図は、ころ４の中心線Ｃ１に平行な方向から見た場合の断面図である。
ここで、保持器セグメント６における周方向の位置に関して、ポケット２５側（ポケット２５の中央側）を周方向内側と呼び、ポケット２５（ポケット２５の中央）から離れる側を周方向外側と呼ぶ。つまり、図４において、第１柱部２３の右側の面が周方向内側の側面３１となり、左側の面が周方向外側の側面３２となる。また、図４において、第２柱部２４の左側の面が周方向内側の側面３５となり、右側の面が周方向外側の側面３６となる。なお、以下の説明において、周方向内側の側面３１，３５を内側面３１，３５と呼び、周方向外側の側面３２，３６を外側面３２，３６と呼ぶ。
【００２３】
内側面３１，３５は、ころ４の外周面４ｃと接触可能となるポケット面である。図４に示す断面において、内側面３１，３５の周方向の間隔は、ポケット２５の径方向中央部において、ころ４（の直径）よりも大きくなっているが、ポケット２５の径方向外側部及び径方向内側部において、ころ４（の直径）よりも小さくなっている。また、内側面３１，３５ところ４との間には周方向の隙間及び径方向の隙間が設けられている。これにより、保持器セグメント６に対してころ４は回転自在であると共に、ころ４に対して保持器セグメント６は径方向について所定寸法だけ変位可能となっており、また、この所定寸法について変位した位置で保持器セグメント６はころ４によって径方向について位置決めされる。
【００２４】
ポケット２５は、径方向内側及び径方向外側において開口しており、いずれか一方からころ４をポケット２５に入れることができる。ころ４をポケット２５に入れる際、柱部２３，２４を僅かに弾性変形させる。
【００２５】
以上の構成を備えているころ軸受１では、図２に示すように、複数の保持器セグメント６を環状空間５０において環状に配置することにより分割保持器５が構成される。そして、単一の保持器セグメント６に単一のころ４が保持されており、分割保持器５の全体として複数のころ４を周方向に沿って間隔をあけて保持することができる。そして、ころ軸受１（本実施形態では内輪２）が回転すると、各ころ４は内輪軌道面２ａ及び外輪軌道面３ａを転動することができる。
【００２６】
そして、図４は、任意の断面において、保持器セグメント６のピッチ円Ｑ１と、ころ４のピッチ円Ｑ２とが一致している状態を示しており、第１柱部２３の内側面３１ところ４との間には周方向及び径方向の隙間が形成されており、第２柱部２４の内側面３５ところ４との間にも周方向及び径方向の隙間が形成されている。これにより、ころ４に対して保持器セグメント６は径方向について所定寸法だけ変位が可能であり、例えば環状空間５０の上側の領域では、重力によって保持器セグメント６は下へ（内輪２側へ）変位することができる。
このように、保持器セグメント６が変位すると、図５に示すように、その保持器セグメント６が有する突起２６が内輪２の一部（図１において大鍔部２ｂ及び小鍔部２ｃ）に当接し、その保持器セグメント６がころ４の外周に沿って変位して傾く。
【００２７】
図５は、分割保持器５の一部を示す説明図であり、保持器セグメント６が傾いた状態を示しているのに対して、図４は、保持器セグメント６が傾いていない状態を示している。図４に示す状態を中立にある状態（中立状態）と呼ぶ。
保持器セグメント６が中立にある状態では、例えば、図４に示す断面において、この保持器セグメント６の径方向内側面６ａ及び径方向外側面６ｂは、分割保持器５の中心線Ｃ２（図２参照、以下、保持器中心線Ｃ２という）を中心とする仮想円に接する、又は、この仮想円と一致する状態にある。これに対して、保持器セグメント６が傾くと、径方向内側面６ａ及び径方向外側面６ｂは、保持器中心線Ｃ２を中心とする仮想円と交差することになる。図４に示す中立状態から各保持器セグメント６がころ４の外周に沿って変位して傾いた方向を、図５において、矢印ｆで示している。
【００２８】
前記のように突起２６が内輪２に当接することによって各保持器セグメント６が傾くと（図５参照）、周方向で隣り合う保持器セグメント６，６同士が柱部２３，２４において接触する。これにより、第１柱部２３の外側面３２の一部は、周方向隣りに位置する他の保持器セグメント６の第２柱部２４（の外側面３６の一部）と接触可能である第１接触面３７となる。そして、第２柱部２４の外側面３６の一部は、周方向隣りに位置する他の保持器セグメント６の第１柱部２３（の外側面３２の一部）と接触可能である第２接触面３８となる。
【００２９】
以上のような構成を備えているころ軸受１によれば、各保持器セグメント６は、単一のポケット２５に単一のころ４を収容する構成であることから、ころ４の外周に沿って変位して傾くことができる。さらに、各保持器セグメント６は、ポケット２５に収容されているころ４に対して径方向について変位可能である。そして、各保持器セグメント６は、内輪２側に変位すると、突起２６がこの内輪２の一部に当接する（図５参照）。このように突起２６が内輪２の一部に当接すると、この突起２６を備えている保持器セグメント６は、ころ４の外周に沿って変位して傾くことができる。
【００３０】
したがって、周方向で隣り合う保持器セグメント６，６間に周方向の隙間δ（図２参照）が生じていても、前記のとおり、保持器セグメント６の突起２６が内輪２の一部に当接することで、その保持器セグメント６は傾くことができ、その隣りの保持器セグメント６と接触した状態となる。これにより、前記隙間δが解消される。
なお、突起２６によって保持器セグメント６を強制的に傾かせることで、保持器セグメント６，６間の隙間δを解消させやすくしている。これは、保持器セグメント６が傾いた状態になると、（傾いていない状態と比較すると）その保持器セグメント６の周方向に沿った寸法が長くなるためである。
【００３１】
以上のように、前記実施形態の保持器セグメント６を備えている分割保持器５によれば、突起２６によって保持器セグメント６を傾かせて隙間δを解消させることができ、これにより、ころ軸受１が回転しても、保持器セグメント６，６同士の衝突による異音の発生や破損を防止することが可能となる。
【００３２】
本実施形態の突起２６は（図４参照）、保持器セグメント６の径方向内側面６ａから所定の突出長さＬを有している。この突出長さＬは、保持器セグメント６が傾いておらず、かつ、図４に示すような任意の断面において保持器セグメント６のピッチ円Ｑ１ところ４のピッチ円Ｑ２とが一致している状態（中立状態）では、内輪２に非接触であるが、保持器セグメント６が傾いていない状態のまま内輪２側に変位すると、この内輪２の一部に接触可能となる長さに設定されている。つまり、前記突出長さＬは、中立状態にある保持器セグメント６の径方向内側面６ａと、内輪２の一部（突起２６が当接する接触対象部）との間に形成される径方向の隙間間隔Ｄよりも小さく設定されている（Ｌ＜Ｄ）。
【００３３】
このような突出長さＬに突起２６が設定されていることにより、複数の保持器セグメント６のうち、突起２６が内輪２に接触していない保持器セグメント６も存在することが可能となる。例えば、本実施形態において（図２参照）、環状空間５０のうちの左右両側の領域では、重力によって保持器セグメント６が内輪２側へ変位し難いことから、このような保持器セグメント６の突起２６は、内輪２の一部に非接触となる。これにより、分割保持器５全体として内輪２との間の摺動抵抗の増加を抑制することができる。
【００３４】
また、ころ軸受１が回転すると（本実施形態では図５に示すように内輪２が矢印Ｒ１方向に回転すると）、各ころ４は、その回転方向に公転すると共に、ころ４の中心線Ｃ１回りに自転する。ころ４の自転方向を図５では矢印ｒ１方向としている。このようなころ４の自転により、保持器セグメント６はころ４につれられてその外周に沿って変位して傾く場合がある。特に、ころ４と保持器セグメント６との間には潤滑油が介在していることから、この潤滑剤の粘性力によって、保持器セグメント６はころ４につれられて変位しやすくなっている。これにより、ころ軸受１が回転すると、各保持器セグメント６は図４に示す中立状態から図５に示す傾いた状態となることができる。
【００３５】
そして、本実施形態では、図４及び図５に示すように、保持器セグメント６のうち、ころ軸受１（内輪２）の回転方向（矢印Ｒ１方向）の前方側の領域に突起２６が設けられている。これは、前記のとおり、ころ４の自転により、保持器セグメント６はころ４につれられて変位して傾く場合があるためである。
すなわち、ころ軸受１の回転方向（矢印Ｒ１方向）の前方側の領域に突起２６を設けることによって、この突起２６が内輪２の一部に当接することで保持器セグメント６を傾ける方向と、ころ軸受１の回転に伴ってころ４につれられて保持器セグメント６を傾ける方向とを同じにすることができ、これにより、保持器セグメント６を安定して決まった方向に傾けることが可能となる。そして、隣りの保持器セグメント６と接触した状態となり、前記隙間δが解消される。また、潤滑剤の粘性力によって、隣り合う保持器セグメント６と接触した状態が維持される。
【００３６】
また、図５に示すように、隣り合う保持器セグメント６，６は、柱部２３，２４において接触する。そこで、一方の柱部２３の縁部が他方の柱部２４に接触することによる傷を付けにくくするために、図４に示すように、第１柱部２３は、外側面３２の少なくとも径方向外側の縁部４３に凸のアール面４４を有している。なお、図４に示す形態では、第１柱部２３は、外側面３２の径方向内側の縁部４２にも凸のアール面４５を有している。更に、第２柱部２４は、外側面３６の径方向外側の縁部４７に凸のアール面４８を有しており、この外側面３６の径方向内側の縁部４６にも凸のアール面４９を有している。
【００３７】
図５に示す形態では、突起２６が内輪２の一部に当接することによって、保持器セグメント６を傾けているが、突起２６が設けられていない側において保持器セグメント６は内輪２と非接触の状態にある。つまり、保持器セグメント６は傾いて隙間δを解消している状態で、第１柱部２３と内輪２との間に径方向の隙間ｅが形成されている。
【００３８】
これに対して、図６では、突起２６が内輪２の一部に当接することによって、保持器セグメント６を傾けており、更に、突起２６が設けられていない側においても保持器セグメント６は内輪２と接触した状態にある。このように、本実施形態のころ軸受１では、保持器セグメント６のうち、突起２６が設けられている側（第２柱部２４側）の部分と、突起２６が設けられていない側（第１柱部２３側）の部分との双方が内輪２に当接していてもよい。この図６に示す状態においても、隣り合う保持器セグメント６，６間の隙間δを解消することが可能である。
【００３９】
このように、保持器セグメント６は、内輪２の一部に当接可能である長い突起２６を第２柱部２４側に有しており、この突起２６が内輪２に接触することによって保持器セグメント６を傾ければよく、保持器セグメント６の第１柱部２３側においても内輪２の一部と接触していてもよい。
そこで、（図４の二点鎖線で示すように、）第１柱部２３側においても内輪２の一部に当接可能である突起２７が設けられていてもよい。ただし、この場合、中立状態において（図４参照）、第２柱部２４側の突起２６から内輪２の一部（当接対象部）までの距離ｈ１は、第１柱部２３側の突起２７から内輪２の一部（当接対象部）までの距離ｈ２よりも小さい必要がある（ｈ１＜ｈ２）。
このように柱部２３，２４の双方に突起２７，２６が設けられていても、当接対象部からこれら突起２７，２６それぞれまでの距離が異なっていれば、保持器セグメント６は内輪２側に変位して内輪２の一部に接触することで傾くことができ、隣り合う保持器セグメント６，６間の隙間δを解消することが可能である。
【００４０】
前記実施形態では、保持器セグメント６の内周側に突起２６が設けられている場合について説明した。
図７は、異なる形態を有する保持器セグメント６の斜視図である。図７に示す保持器セグメント６では、外周側に突起２８が設けられている。図７に示す保持器セグメント６のうち、突起２８を除く、リム部２１，２２及び柱部２３，２４を含む本体部の構成は、図４に示す形態と同じであり、ここでは説明を省略する。
【００４１】
図７において、突起２８は、一対のリム部２１，２２それぞれの径方向外側面であって第１柱部２３側に設けられており、リム部２１，２２から更に径方向外側に向かって突出している。突起２８は第１柱部２３側の軸方向両側に設けられており、一方の突起２８は外輪３の内周面の軸方向一方側に当接可能であり、他方の突起２８は外輪３の内周面の軸方向他方側に当接可能である。
【００４２】
そして、この保持器セグメント６においても、ポケット２５に収容されているころ４は回転自在となると共に、ころ４に対して保持器セグメント６は径方向について所定寸法だけ変位可能となっており、また、この所定寸法について変位した位置で保持器セグメント６はころ４によって径方向について位置決めされる。
このように、ころ４に対して保持器セグメント６は径方向について所定寸法だけ変位が可能であることから、図８に示すように、例えば環状空間５０の下側の領域では、重力によって保持器セグメント６は下へ（外輪３側へ）変位することができる。
【００４３】
保持器セグメント６が下へ変位すると、その保持器セグメント６が有する突起２８が外輪３の一部に当接し、その保持器セグメント６がころ４の外周に沿って変位して傾く（図８参照）。中立状態から各保持器セグメント６がころ４の外周に沿って変位して傾いた方向を、図８において、矢印ｆで示している。
前記のように突起２８が外輪３の一部に当接することによって各保持器セグメント６が傾くと、周方向で隣り合う保持器セグメント６，６同士が柱部２３，２４において接触する。
【００４４】
以上より、図７に示す保持器セグメント６によれば、この保持器セグメント６は、単一のポケット２５に単一のころ４を収容する構成であることから、ころ４の外周に沿って変位して傾くことができる。さらに、この保持器セグメント６は、ポケット２５に収容されているころ４に対して径方向について変位可能である。
そこで、各保持器セグメント６は、外輪３側に変位するとこの外輪３の一部に当接可能である突起２８を有しており、この突起２８が外輪３の一部に当接することによって、この突起２８を備えている保持器セグメント６を、ころ４の外周に沿って変位させて傾かせることができる。
【００４５】
これにより、隣り合う保持器セグメント６，６同士が接触した状態となり、この結果、周方向の隙間δ（図２参照）が解消される。この結果、ころ軸受１が回転しても、保持器セグメント６，６同士の衝突による異音の発生や破損を防止することが可能となる。
【００４６】
また、突起２８は（図８参照）、保持器セグメント６の径方向外側面６ｂから所定の突出長さＬを有している。この突出長さＬは、保持器セグメント６が傾いておらずかつ任意の断面において保持器セグメント６のピッチ円ところ４のピッチ円とが一致している状態（中立状態）では、外輪３に非接触であるが、保持器セグメント６が傾いていない状態のまま外輪３側に変位すると、この外輪３の一部に接触可能となる長さに設定されている。
【００４７】
また、図８に示すように、保持器セグメント６のうち、ころ軸受１（内輪２）の回転方向（矢印Ｒ１方向）の後方側の領域に突起２８が設けられている。これは、前記のとおり、ころ４の自転により、保持器セグメント６はころ４につれられて変位して傾く場合があるためである。つまり、突起２８によって保持器セグメント６を傾ける方向と、ころ軸受１の回転に伴ってころ４につれられて保持器セグメント６を傾ける方向とを同じにするためであり、これにより、保持器セグメント６を安定して決まった方向に傾けることが可能となる。
【００４８】
なお、図８に示す形態では、突起２８が外輪３の一部に当接することによって、保持器セグメント６を傾けているが、突起２８が設けられていない側において保持器セグメント６は外輪３と非接触の状態にある。つまり、保持器セグメント６は傾いて隙間δを解消している状態で、第２柱部２４と外輪３との間に径方向の隙間ｅが形成されている。
【００４９】
これに対して、図９では、突起２８が外輪３の一部に当接することによって、保持器セグメント６を傾けており、更に、突起２８が設けられていない側においても保持器セグメント６は外輪３と接触した状態にある。このように、本実施形態のころ軸受１では、保持器セグメント６のうち、突起２８が設けられている側（第１柱部２３側）の部分と、突起２８が設けられていない側（第２柱部２４側）の部分との双方が外輪３に当接していてもよい。この図９に示す状態においても、隣り合う保持器セグメント６，６間の隙間δを解消することが可能である。
【００５０】
また、図示しないが、第２柱部２４側においても、第１柱部２３側に設けられている突起２８よりも短い突起が形成されていてもよい。
また、更に別の形態の保持器セグメント６として、各保持器セグメント６の内周側に（図３に示す）突起２６が設けられていると共に、外周側にも（図７に示す）突起２８が設けられていてもよい。
【００５１】
以上より、本発明のころ軸受１が備えている分割保持器５の保持器セグメント６は、内輪２及び外輪３のうちの一方の軌道輪に当接することによってこの保持器セグメント６をころ４の外周に沿って変位させて傾かせる突起２６（２８）を有していればよい。
このような分割保持器５を備えているころ軸受によれば、周方向で隣り合う保持器セグメント６，６間に隙間δ（図２参照）が生じていても、突起２６（２８）がころ軸受１の軌道輪に当接して保持器セグメント６を傾かせることにより、その隣りの保持器セグメント６と接触させ、これにより前記隙間δを解消することができる。この結果、ころ軸受１が回転した際の保持器セグメント６，６同士の衝突による異音の発生や破損を防止することが可能となる。
【００５２】
また、保持器セグメント６を傾かせるための突起２６（２８）は、図４及び図７により説明したように、保持器セグメント周方向一方側にのみ設けられていてもよいが、前記のとおり、周方向両側に設けられていてもよく、この場合、一方の突起と他方の突起とのそれぞれにおいて、当接対象部となる軌道輪までの距離が異なっていればよい。
また、他の形態として、保持器セグメント６を傾かせるための突起が、その保持器セグメントの周方向両側に設けられており、一方の突起と比較して他方の突起の周方向位置が保持器セグメントの中央寄りとなるようにしてもよい。この場合においても、双方の突起が円弧形状を有する軌道輪の一部に当接すると、保持器セグメント６を傾けることが可能となる。
【００５３】
なお、前記各形態では、分割保持器５を円すいころ軸受用の保持器として説明したが、それ以外であってもよく、ころ４の形状に応じてポケット２５の形状を変えることで、その分割保持器を、例えば円筒ころ軸受にも適用することができる。
また、以上のとおり開示した実施形態はすべての点で例示であって制限的なものではない。つまり、本発明は、図示する形態に限らず本発明の範囲内において他の形態のものであってもよい。
【符号の説明】
【００５４】
１：ころ軸受                ２：内輪                  ３：外輪
４：ころ                    ５：分割保持器            ６：保持器セグメント
２１：第１リム部            ２２：第２リム部          ２３：第１柱部
２４：第２柱部              ２５：ポケット            ２６，２７，２８：突起
Ｌ：突出長さ      Ｑ１：保持器セグメントのピッチ円      Ｑ２：ころのピッチ円
【図１】
2017044260.tif 000003
【図２】
2017044260.tif 000004
【図３】
2017044260.tif 000005
【図４】
2017044260.tif 000006
【図５】
2017044260.tif 000007
【図６】
2017044260.tif 000008
【図７】
2017044260.tif 000009
【図８】
2017044260.tif 000010
【図９】
2017044260.tif 000011
【図１０】
2017044260.tif 000012
【図１１】
2017044260.tif 000013